(57)【要約】【課題】見映えの良い化粧パネルを器体にしっかり取付けることが可能で、しかも化粧パネルの取付け部分から器体内に浸水する恐れのない調理器を提供する。【解決手段】透明な樹脂パネル部６に着色層１０を設けた化粧パネルを蓋体４に取付けた調理器において、前記樹脂パネル部６の外周に裏面側に突出する爪部１１を形成し、前記蓋体４に前記爪部１１を挿し込む凹入部１５を形成した構成とした。【選択図】図２
2006025864.tif 000002
【特許請求の範囲】
【請求項１】
透明な樹脂パネル部に着色層を設けた化粧パネルを器体に取付けた調理器において、前記樹脂パネル部の外周に裏面側に突出する爪部を形成し、前記器体に前記爪部を挿し込む凹入部を形成したことを特徴とする調理器。
【請求項２】
前記凹入部内に前記爪部と係合する受け部を設けたことを特徴とする請求項１に記載の調理器。
【請求項３】
前記着色層を前記樹脂パネル部の裏面側に設けたことを特徴とする請求項１または２に記載の調理器。
【発明の詳細な説明】
【技術分野】
【０００１】
この発明は、特に炊飯器や電気湯沸し器など、器体に化粧パネルを取付けた調理器に関する。
【背景技術】
【０００２】
近年、炊飯器等の調理器では、高級感や他の調理器と明確に異なる質感を付与するため、器体に化粧パネルを取付けることが広く行われている。例えば、透明な樹脂パネル部の表面に爪部を形成し、裏面に印刷を施した化粧パネルを器体に取付けた調理器がある（特許文献１）。特許文献１に記載のものでは、化粧パネルが、前記爪部を器体外面の貫通孔に強制嵌合することにより前記器体に取付けられている。このように、透明な樹脂パネル部の裏面に塗装や印刷を施すと、クリア層（樹脂パネル部）を介して着色層（塗膜層や印刷層など）が外観されるため、光沢や質感の優れた化粧パネルとなり、調理器の差別化を図ることができる。
【０００３】
【特許文献１】特開平６−１３３８４７号公報（図１、図２参照）
【発明の開示】
【発明が解決しようとする課題】
【０００４】
しかしながら、特許文献１に記載のものは、器体外面に貫通孔を形成しているので、嵌合隙間から浸水する恐れがあるという問題があった。
【０００５】
また、従来の調理器には、化粧パネルの裏面に突起状の螺子孔部を形成し、器体に設けた螺子挿通孔と化粧パネルの螺子孔部とを螺子止めしたものもある。しかしながら、このような調理器において、透明な樹脂パネル部の裏面側に塗装等を施した化粧パネルを採用した場合、突起状の螺子孔部が化粧パネルの表面側から透けて見えるため、かえって調理器の見映えが悪くなる。
【０００６】
また、別の従来の調理器には、両面テープにより、化粧パネルを器体に貼り付けたものもある。しかしながら、このような調理器は、化粧パネルに若干でも反り等があると、化粧パネルが器体から浮き上がるため、化粧パネルが外れ易いものであった。
【０００７】
そこで、この発明の課題は、見映えの良い化粧パネルを器体にしっかり取付けることが可能で、しかも化粧パネルの取付け部分から器体内に浸水する恐れのない調理器を提供することにある。
【課題を解決するための手段】
【０００８】
上記の課題を解決するため、この発明は、透明な樹脂パネル部に着色層を設けた化粧パネルを器体に取付けた調理器において、前記樹脂パネル部の外周に裏面側に突出する爪部を形成し、前記器体に前記爪部を挿し込む凹入部を形成した構成とした。
【０００９】
上記構成によれば、前記樹脂パネル部の外周に裏面側に突出する爪部を形成し、前記器体に前記爪部を挿し込む凹入部を形成したので、調理器は、前記化粧パネルを前記器体に取付けた状態で、外観上、前記爪部が目立たないものとなる。また、調理器は、化粧パネルの取付け部分から浸水する恐れのないものとなる。
【００１０】
上記構成において、前記凹入部内に前記爪部と係合する受け部を設けた構成を採用すれば、前記化粧パネルに少々の反りが存在しても、前記爪部と前記受け部との係合により前記化粧パネルが強制的に前記器体に密着される。これにより、調理器は、前記化粧パネルを前記器体にしっかりと取付けることが可能なものとなる。
【００１１】
また、上記構成においては、前記樹脂パネル部の外周に前記爪部を形成したので、前記樹脂パネル部の裏面側に、塗装や印刷などをきれいに施すことが可能になる。そこで、上記構成において、前記着色層を前記樹脂パネル部の裏面側に設けた構成を採用すれば、調理器は、外観上、前記爪部が目立つことなく、前記着色層がクリア層を介して透視されるので、前記化粧パネルが優れた光沢感を伴う美しいものとなる。
【発明の効果】
【００１２】
上述のように、この発明によれば、見映えの良い化粧パネルを器体にしっかり取付けることが可能で、しかも化粧パネルの取付け部分から器体内に浸水する恐れのない調理器を提供することができる。
【発明を実施するための最良の形態】
【００１３】
以下、この発明の第１実施形態に係る調理器を、図１〜図５に基づいて説明する。図１に全体斜視を示した調理器は、筒状の胴部材１と、胴部材１の下端開放口を閉じる底板部材２と、胴部材１の上端開放口の内面に嵌合された肩部材３と、蓋体４とから器体を構成した炊飯器である。
【００１４】
肩部材３の前端部には、操作パネル５が取付けられている。樹脂製の蓋体４の表面前方側には、操作パネル５との合わせ部から蓋体４の頂部に向けて緩やかな上り勾配の傾斜面が形成されている。この傾斜面には、透明な樹脂パネル部６を有する化粧パネルが取付けられている。
【００１５】
図２、図３（ａ）〜（ｃ）に示すように、樹脂パネル部６は、全体として蓋体４の傾斜面と同じ勾配を有し、平面視において、前端が直線状を呈し、前端両側から後端に亘って弓状を呈する。樹脂パネル部６の表面には、フック解除ボタン７を設置するための開口部８が形成されている。樹脂パネル部６の外周には、縁立て壁９が樹脂パネルの裏側に向けて形成されている。一方、樹脂パネル部６の裏面側には、縁立て壁９に囲まれた範囲に印刷を施すことにより着色層１０が設けられている。
【００１６】
樹脂パネル部６の前端両側から後端に亘った範囲には、複数の爪部１１が、縁立て壁９より樹脂パネル部６の裏面側に突出するように、両側対称の配置で形成されている。また、樹脂パネル部６の前端には、縁立て壁９の壁面に、複数の嵌合孔１２が、蓋体４の傾斜面前縁に形成された突部１３と対向するように形成されている。
【００１７】
一方、図４に示すように、蓋体４の傾斜面には、凹溝１４が、縁立て壁９と対向し、かつ縁立て壁９が収まる深さで形成されている。また、蓋体４の傾斜面のうち、凹溝１４に囲まれた範囲は、樹脂パネル部６の肉厚分だけその範囲外よりも低く形成されている。
【００１８】
凹溝１４の底面には、爪部１１を挿し込む凹入部１５が形成されている。この凹入部１５の内側面には、爪部１１と係合する受け部１５ａが段状に設けられている。凹入部１５および受け部１５ａは、スライド金型を用いて形成される。
【００１９】
嵌合孔１２を突部１３に当て嵌め、縁立て壁９を凹溝１４に挿し入れ、樹脂パネル部６を軽く押し込むと、爪部１１がベンディングにより受け部１５ａと係合される。これにより、化粧パネルの蓋体４への取付けが完了する。
【００２０】
この第１実施形態に係る調理器では、樹脂パネル部６を蓋体４の勾配と同一の勾配を有するように設け、凹溝１４を、縁立て壁９と対向し、かつ縁立て壁９が収まる深さで形成し、蓋体４の傾斜面のうち、凹溝１４に囲まれた範囲を、樹脂パネル部６の肉厚分だけその範囲外よりも低く形成したので、化粧パネルを蓋体４に取付けた状態で、樹脂パネル部６の表面が蓋体４の表面と同一面となる。しかも、樹脂パネル部６の外周が、爪部１１と受け部１５ａの係合により蓋体４にしっかりと密着される。これにより、調理器は、化粧パネルの浮き上がりが防止されるので、蓋体４の表面との一体感が優れたものとなる。
【００２１】
なお、この発明では、着色層を樹脂パネル部の裏面側に塗装を施すことによって設けることができる他、印刷フィルムや金属薄板を樹脂パネル部にインサート成形することによって設けることもできる。その一例として、この発明の第２実施形態に係る調理器を図５（ａ）（ｂ）に基づき説明する。なお、以下、第１実施形態との相違点のみを述べる。
【００２２】
図５（ａ）（ｂ）に示すように、化粧パネル１６は、透明な樹脂パネル部１７の裏面側に金属薄板１８をインサート成形することにより着色層を設けたものである。一方、蓋体には、取付け部１９が他の部分よりも一段低く設けられている。
【００２３】
樹脂パネル部１７の前後両端には、金属薄板１８が露出されている。金属薄板１８の後端側には、アングル部２０が形成されており、前端側には、爪部２１が樹脂パネル部１７の裏面側において内向きのフック状で形成されている。
【００２４】
取付け部１９の後端には、アングル部２０を挿し入れる挿込口２２が設けられ、前端には、爪部２１を挿し込む凹入部２３が設けられている。凹入部２３の後端壁には、爪部２１と係合するように外向きに屈曲した受け部２４が突設されている。
【００２５】
樹脂パネル部１７の裏面には、支持板２５が貼り付けられている。樹脂パネル部１７の両端は支持板２５により浮かされ、これに伴い、アングル部２０と爪部２１とがベンディングされ、それぞれが挿込口２２と受け部２４とに係合される。なお、支持板２５と設置面とを両面テープで接着してもよい。
【００２６】
第２実施形態に係る調理器は、金属薄板１８により着色層を形成したので、樹脂パネル部１７によるクリア層が生じる光沢感と相俟って、優れたメタル感と高級感を醸し出すものとなる。また、この調理器は、着色層の裏面が樹脂に覆われるので、取付け時に着色層が傷つくことのないものとなる。
【図面の簡単な説明】
【００２７】
【図１】第１実施形態に係る調理器の全体斜視図。
【図２】同上の化粧パネル部分の分解斜視図。
【図３】（ａ）同上の化粧パネル部分の前面図、（ｂ）同上の化粧パネル部分の裏面図、（ｃ）図３（ａ）のｃ−ｃ線の拡大縦断側面図。
【図４】同上の蓋体部分の拡大縦断側面図。
【図５】（ａ）第２実施形態に係る調理器の蓋体部分の概略を示す拡大縦断側面図、（ｂ）同上の化粧パネル部分の拡大縦断側面図。
【符号の説明】
【００２８】
１  胴部材
２  底板部材
３  肩部材
４  蓋体
５  操作パネル
６  樹脂パネル部
７  フック解除ボタン
８  開口部
９  縁立て壁
１０  着色層
１１、２１  爪部
１２  嵌合孔
１３  突部
１４  凹溝
１５、２３  凹入部
１５ａ、２４  受け部
１６  化粧パネル
１７  樹脂パネル部
１８  金属薄板
１９  取付け部
２０  アングル部
２２  挿込口
２５  支持板
【図１】
2006025864.tif 000003
【図２】
2006025864.tif 000004
【図３】
2006025864.tif 000005
【図４】
2006025864.tif 000006
【図５】
2006025864.tif 000007